(57)【要約】【課題】  片端部配置型の照明装置において、被照射面における照度ムラの発生を抑制すること。【解決手段】  入射面１１５と、入射面１１５と対向する端面１１６と、第１の方向に長い導光面１１７と、導光面１１７と対向する出射面１１８と、を含む導光体１１１を有し、入射面１１５から入射した光を、導光面１１７を介して出射面１１８に導く導光ユニット１１２であって、端面１１６と対向する第１の反射部材１１４と、第１の反射部材１１４により反射された光のうち、出射面１１８に対して臨界角よりも小さい入射角を有する光を、導光体１１１の内部に向けて反射する反射部１２１と、を備える。【選択図】  図３
2016110720.tif 000002
【特許請求の範囲】
【請求項１】
入射面と、該入射面と対向する端面と、第１の方向に長い導光面と、該導光面と対向する出射面と、を含む導光体を有し、前記入射面から入射した光を、前記導光面を介して前記出射面に導く導光ユニットであって、
前記端面と対向する第１の反射部材と、
該第１の反射部材により反射された光のうち、前記出射面に対して臨界角よりも小さい入射角を有する光を、前記導光体の内部に向けて反射する反射部と、
を備えることを特徴とする導光ユニット。
【請求項２】
前記反射部は、前記端面と前記出射面とを接続する切欠面であることを特徴とする請求項１記載の導光ユニット。
【請求項３】
前記出射面と前記切欠面とのなす角度をθ１とするとき、
１２５°＜θ１＜１５５°
なる条件を満足することを特徴とする請求項２に記載の導光ユニット。
【請求項４】
前記切欠面は透過面であることを特徴とする請求項２又は３に記載の導光ユニット。
【請求項５】
前記反射部は、前記出射面の前記端面の側の端部と対向する第２の反射部材であることを特徴とする請求項１に記載の導光ユニット。
【請求項６】
前記第２の反射部材は、白色ペイントであることを特徴とする請求項５に記載の導光ユニット。
【請求項７】
前記第１の反射部材と前記第２の反射部材とは、一体的に形成されていることを特徴とする請求項５又は６に記載の導光ユニット。
【請求項８】
前記第１の反射部材は、白色ペイントであることを特徴とする請求項１乃至７のいずれか１項に記載の導光ユニット。
【請求項９】
前記端面は、粗面であることを特徴とする請求項１乃至８のいずれか１項に記載の導光ユニット。
【請求項１０】
光源と、該光源から出射する光を原稿に導く導光ユニットとを備え、該導光ユニットは請求項１乃至９のいずれか１項に記載の導光ユニットであることを特徴とする照明装置。
【請求項１１】
請求項１０に記載の照明装置と、前記原稿からの光を受光する受光部と、前記原稿からの光を前記受光部の受光面に集光する結像部と、を備えることを特徴とする画像読取装置。
【請求項１２】
前記照明装置と、前記受光部と、前記結像部と、を保持するキャリッジを備えることを特徴とする請求項１１に記載の画像読取装置。
【請求項１３】
前記原稿に平行な方向において、前記原稿と前記キャリッジとの相対位置を変更する駆動部を備えることを特徴とする請求項１２に記載の画像読取装置。
【発明の詳細な説明】
【技術分野】
【０００１】
本発明は、イメージスキャナー、ファクシミリ、デジタル複写機などの画像読取装置が備える照明装置に用いられる導光ユニットに関する。
【背景技術】
【０００２】
従来、画像読取装置には、ＬＥＤ（Ｌｉｇｈｔ  Ｅｍｉｔｔｉｎｇ  Ｄｉｏｄｅ）やＥＬ（Ｅｌｅｃｔｒｏ  Ｌｕｍｉｎｅｓｃｅｎｃｅ）素子などの光源が導光体の長手方向における一方の端部（片端部）に配置された照明装置が採用されている。このような片端部配置型の照明装置に用いられる導光体は、光源と対向する入射面と長手方向に伸びた導光面及び出射面とを有し、入射面から入射した光を導光面により出射面に導くように構成される。
【０００３】
特許文献１及び２には、導光体の入射面とは反対側の端面に拡散反射体（白色ペイント）が設けられた照明装置が記載されている。この照明装置によれば、導光体の端面から出射した光を拡散反射体により反射して導光体の内部に再度入射させることができ、導光効率を向上させることが可能になる。
【先行技術文献】
【特許文献】
【０００４】
【特許文献１】特開２０１０−１０３０３４号公報
【特許文献２】特開平１１−８４５４４号公報
【発明の概要】
【発明が解決しようとする課題】
【０００５】
しかしながら、特許文献１及び２に記載の照明装置においては、拡散反射体により反射された光の一部が、導光面を介さずに直接出射面から出射してしまう。そのため、照明装置により照明される原稿（被照射面）において、一部の照度が著しく高くなるような照度ムラ（照度偏差）が生じてしまい、良好な画質が得られなくなってしまう。
【０００６】
本発明の目的は、被照射面における照度ムラの発生を抑制することが可能な導光ユニット、それを備える照明装置及び画像読取装置を提供することである。
【課題を解決するための手段】
【０００７】
上記目的を達成するための、本発明の一側面としての導光ユニットは、入射面と、該入射面と対向する端面と、第１の方向に長い導光面と、該導光面と対向する出射面と、を含む導光体を有し、前記入射面から入射した光を、前記導光面を介して前記出射面に導く導光ユニットであって、前記端面と対向する第１の反射部材と、該第１の反射部材により反射された光のうち、前記出射面に対して臨界角よりも小さい入射角を有する光を、前記導光体の内部に向けて反射する反射部と、を備えることを特徴とする。
【発明の効果】
【０００８】
本発明によれば、片端部配置型の照明装置において、被照射面における照度ムラの発生を抑制することができる。
【図面の簡単な説明】
【０００９】
【図１】本発明の実施例１に係る画像読取装置の要部概略図。
【図２】本発明の実施例１に係る照明装置の周辺の要部拡大図。
【図３】本発明の実施例１に係る照明装置の要部概略図。
【図４】ランバート光の配光特性について説明するための図。
【図５】本発明の実施例１に係る照明装置による照度分布を示す図。
【図６】本発明の比較例１に係る照明装置及び照度分布を示す図。
【図７】本発明の実施例２に係る照明装置の要部概略図。
【図８】本発明の実施例２に係る照明装置による照度分布を示す図。
【図９】本発明の比較例２に係る照明装置及び照度分布を示す図。
【図１０】本発明の実施例３に係る照明装置の要部概略図。
【図１１】本発明の実施例３に係る照明装置による照度分布を示す図。
【発明を実施するための形態】
【００１０】
以下、本発明の好ましい実施形態について図面を参照しながら説明する。なお、各図面は、便宜的に実際とは異なる縮尺で描かれている場合がある。また、各図面において、同一の部材については同一の参照番号を付し、重複する説明を省略する。
【００１１】
［実施例１］
以下、本発明の実施例１に係る導光ユニット、それを備える照明装置及び画像読取装置について詳細に説明する。
【００１２】
図１は、本実施例に係る画像読取装置１００の要部概略図（ＺＸ断面図）である。画像読取装置１００は、照明装置１０３、反射光学系１０４、結像部（結像光学系）１０６、及び受光部１０５、を一体的に保持するキャリッジ（読取ユニット）１０７と、原稿台１０２と、駆動部１０８と、を備えている。本実施例に係る照明装置１０３は、光源が導光体の片端部にのみ配置された導光ユニットを有する、片端部配置型の照明装置である。片端部配置型の照明装置は、光源が導光体の両端部に配置された両端部配置型の照明装置と比較して、光源の個数や発光面積を少なくすることができるという点で有利である。
【００１３】
原稿台１０２は、原稿１０１を載置するための台であり、アクリル樹脂、ポリエステル樹脂、ポリカーボネイト樹脂やガラスなどの透光性を有する材料から成る。受光部１０５は、原稿１０１からの光束を受光するイメージセンサから成る。イメージセンサとしては、ＣＣＤイメージセンサやＣＭＯＳイメージセンサ等を採用することができる。それらは、画素がＹ方向に多数並んだラインセンサや、ＲＧＢ画素がＹ方向に一列に多数並んだラインセンサや、Ｒ画素のラインセンサとＧ画素のラインセンサとＢ画素のラインセンサとが３列に平行に並んだセンサであってもよい。
【００１４】
反射光学系１０４は、原稿１０１からの光束を折り返して結像部１０６に導く複数の折返しミラー１０４ａ〜１０４ｄから成る。結像部１０６は、反射光学系１０４からの光束を受光部１０５の受光面上に集光し、原稿１０１の画像情報に基づく像を形成する縮小光学系である。駆動部１０８は、キャリッジ１０７を原稿１０１の原稿面（被照射面）に平行な方向であるＺ方向（図中の矢印方向）に移動させるための駆動力を発生するモータなどで構成される。
【００１５】
照明装置１０３から出射した光束は、原稿１０１の原稿面にて反射及び拡散され、反射光学系１０４の第１折返しミラー１０４ａ〜第４折返しミラー１０４ｄにより結像部１０６に導かれ、受光部１０５の受光面上に集光される。そして、駆動部１０８によりキャリッジ１０７をＺ方向に移動させることによって、キャリッジ１０７に原稿１０１の原稿面上をＺ方向に走査させることができる。これにより、受光部１０５は原稿１０１の原稿面全体の画像情報を読み取ることができる。受光部１０５により読み取られた画像情報は、電気信号としてインターフェースを通じて不図示の画像処理部やパーソナルコンピュータなどの外部機器に送信される。
【００１６】
なお、キャリッジ１０７が原稿面を走査する際は、キャリッジ１０７により保持される各部材同士の相対位置は変わらない。また、変更手段としての駆動部１０８によって、キャリッジ１０７の代わりに原稿１０１を移動させたり、キャリッジ１０７及び原稿１０１の両方を移動させたりすることにより、キャリッジ１０７と原稿１０１とのＺ方向における相対位置を変更させてもよい。キャリッジ１０７を移動させずに、原稿のみを移動させて相対位置を変更する場合には、変更手段として原稿の給送ローラーや給送ベルト等を用いることができる。
【００１７】
ここで、本実施例に係る照明装置１０３について、図２及び図３を用いて詳細に説明する。図２は、図１における照明装置１０３の周辺の拡大図であり、図３（ａ）及び（ｂ）は、照明装置１０３の要部概略図（斜視図及びＸＹ断面図）である。本実施例に係る画像読取装置１００は、同一の照明装置１０３を２つ備えており、夫々の照明装置１０３は読取光軸１０９を挟んで対称的に配置されている。夫々の照明装置１０３は、導光体１１１及び第１の反射部材１１４を有する導光ユニット１１２と光源１１３と備え、光源１１３から出射する光束を導光ユニット１１２により原稿１０１における読取領域１１０に導光している。
【００１８】
なお、光源１１３は、導光体１１１の入射面１１５と対向して配置されており、図中に破線で示した発光素子と、発光素子が実装される点線で示した基板と、を含んでいる。発光素子としては、無機半導体及び／又は有機半導体からなる発光層を有するＬＥＤ又はＥＬ素子が用いられる。発生する光としては白色光が望ましいが、それに限らず赤色、緑色、青色などの光であってもよい。白色光を発光する素子としては、パワーＬＥＤ、高輝度ＬＥＤ、高輝度ＥＬ素子などと呼ばれる白色発光素子を用いることができる。
【００１９】
図２及び図３に示したように、導光体１１１は、入射面（一端面）１１５と、入射面１１５と対向する端面（他端面）１１６と、第１の方向（Ｙ方向）に長い導光面１１７と、導光面１１７と対向する出射面１１８と、を含んでいる。導光体１１１は、端面１１６の側に形成された切欠部１２１（詳細は後述）を除いて、第１の方向において一様な形状を成す棒状の部材である。本実施例に係る端面１１６は粗面であり、導光面１１７は光束を散乱（拡散）させる散乱パターン（白色ペイント）が形成された拡散面である。本実施例に係る導光体１１１において、第１の方向の長さＬ＝３２０ｍｍ、導光面１１７（散乱パターン）の幅（第１の方向に垂直な方向の長さ）Ｄ＝２．４ｍｍ、高さＨ＝６．０ｍｍ、である。
【００２０】
なお、導光体１１１の材料としては、ガラスなどの透光性の無機材料や、アクリル樹脂、ポリエステル樹脂、ポリカーボネイト樹脂などの透光性の有機材料を用いることができる。また、導光体１１１のＸＺ断面の形状は、円、楕円、多角形、或いはそれらが組み合わされた形状であってもよく、図３（ａ）に示すように少なくとも１辺が曲線である疑似的な四角形（扇形）であってもよい。導光面１１７における散乱パターンとしては、光束を散乱させることができるものであればよく、例えば、樹脂又は金属で構成される白色又は金属光沢を有する膜や、微細な突起物の群で構成してもよい。また、散乱パターンの形状は、図３（ａ）に示した連続的な帯状のパターンに限らず、互いに離れた複数のドット群であってもよい。
【００２１】
さらに、導光体１１１は、必要に応じて、導光面１１７と出射面１１８とをつなぐ第１の反射面１１９及び第２の反射面１２０を有している。このとき、読取光軸１０９に近い側の第１の反射面１１９及び読取光軸１０９から遠い側の第２の反射面１２０の夫々の形状を、集光作用を有する曲面形状にすることが望ましい。具体的に、第１の反射面１１９及び第２の反射面１２０は、ＺＸ断面内において、焦点の位置が導光面１１７の中点の位置に一致する放物面又は楕円面となっており、正のパワーを有している。この第１の反射面１１９及び第２の反射面１２０によれば、導光面１１７にて散乱された光束を、効率よく読取領域１１０に向けて偏向させることが可能になる。よって、読取領域１１０において十分な光量を確保し、かつ、光量が安定した走査方向（Ｚ方向）の照明領域を確保することができる。
【００２２】
図３（ｂ）に示すように、光源１１３から出射した光Ｓは、導光体１１１の入射面１１５から導光体１１１の内部に入射し、他の面を介さずに直接、又は、他の面のうち少なくとも１つにより全反射されて、導光面１１７に到達する。導光面１１７に入射した光Ｓは、導光面１１７の散乱パターンによりランバート反射（拡散）されてランバート光Ｓ１となる。ランバート光Ｓ１のうち、出射面１１８に臨界角よりも小さい入射角で入射する（出射面１１８において全反射条件を満たさない）光は、出射面１１８から出射して原稿１０１における読取領域１１０に導光される。この構成により、読取領域１１０を線状照明することができる。
【００２３】
図４は、ランバート光Ｓ１の配光特性を示す図である。図４においては、導光面１１７の面法線に対するランバート光Ｓ１の配光角をα、ランバート光Ｓ１の最大強度をＩｏ、とするとき、ランバート光Ｓ１の強度ＩをＩ＝Ｉｏ・ｃｏｓαとして表している。図４（ａ）に示すように、ランバート光Ｓ１は一様な配光特性を有していることがわかる。なお、導光体１１１がアクリル樹脂により形成されているとした場合を考えると、出射面１１８における臨界角は４２．２°となる。このとき、図４（ｂ）に示すように、ランバート光Ｓ１のうち、配光角αが臨界角４２．２°よりも小さくなる６７．２％の光が、出射面１１８から出射することになる。
【００２４】
光源１１３から出射した光Ｓの中には、出射面１１８から出射せずに端面１１６に至る光が存在しており、その光が端面１１６から出射してしまうと光量損失が生じてしまう。そこで、本実施例に係る導光ユニット１１２は、端面１１６と対向する第１の反射部材（拡散反射体）１１４を備えており、端面１１６から出射する光を反射して導光体１１１の内部に再度入射させる構成を採っている。第１の反射部材１１４によりランバート反射（拡散）されたランバート光Ｓ２は、他の面を介さずに直接、又は、他の面で全反射して導光面１１７に至り、導光面１１７によりランバート反射されてランバート光Ｓ１となって出射面１１８から出射する。この構成により、端面１１６から出射する光を低減し、光量損失を抑制することができる。
【００２５】
なお、本実施例では、導光体１１１の外部に白色ペイントで覆われた第１の反射部材１１４を設けた構成を採っているが、これに限られるものではなく、例えば、端面１１６に第１の反射部材１１４としての白色ペイントを直接塗った構成などを採用してもよい。また、本実施例のように端面１１６が粗面（拡散面）である場合は、第１の反射部材１１４の表面を単に反射面とすればよく、白色ペイントなどの拡散面としなくてもよい。すなわち、端面１１６及び第１の反射部材１１４の少なくとも一方により拡散反射体を成す構成であれば、いかなる構成を採用してもよい。
【００２６】
ここで、ランバート光Ｓ２の中には、出射面１１８に臨界角よりも小さい入射角で入射し、導光面１１７を介さずに出射面１１８から直接出射してしまう光Ｓ３が存在する。光Ｓ３が導光面１１７を介さずに直接原稿１０１に入射してしまうと、その部分の照度が著しく高くなってしまい、良好な画像が得られなくなってしまう。
【００２７】
そこで、本実施例に係る導光ユニット１１２は、第１の反射部材１１４からの光Ｓ３を導光体１１１の内部に向けて反射する反射部を備えている。具体的には、導光体１１１において、端面１１６と出射面１１８とを接続する切欠面（切欠部）１２１を反射部として設けている。この切欠面１２１によれば、光Ｓ３が導光面１１７を介さずに出射面１１８から出射することを抑制し、光Ｓ３を導光面１１７に導光することができるため、原稿１０１における照度ムラの発生を抑制することが可能になる。
【００２８】
本実施例では、導光体１１１に反射部を切欠面１２１として直接設けているため、反射部を別部材として設ける必要がなく、導光体１１１及び反射部を一体的に形成することができ、導光ユニット１１２の小型化を実現している。なお、切欠面１２１は鏡面（鏡面加工された面）であることが望ましいが、光を反射する面であればこれに限られるものではない。例えば、本実施例のような鏡面加工された透過面に限らず、必要に応じて反射膜を設けた反射面や拡散面などを採用してもよい。
【００２９】
図５は、本実施例に係る照明装置１０３により照明される原稿１０１上での照度分布を示す図であり、横軸は、原稿１０１のＹ方向において中央を０ｍｍとしたときの位置を示し、縦軸は、原稿１０１における照度値を示している。図５に示すように、原稿１０１上での照度分布はＹ方向において略対称となっており、照度ムラの発生が良好に抑制されているということがわかる。なお、図５において、Ｙ方向における端部に向かうに従い照度値が大きくなっているのは、コサイン４乗則に起因する受光部１０５の受光面における端部での照度低下を補正するためである。
【００３０】
なお、出射面１１８と切欠面１２１とのなす角度をθ１とするとき、以下の条件式（１）を満足するように構成することがより望ましい。
１２５°＜θ１＜１５５°      （１）
【００３１】
言い換えると、第１の方向に対する切欠面１２１の傾斜角をθ２とするとき、以下の条件式（２）を満足するように構成することが望ましい。ただし、θ２＝１８０°−θ１である。
２５°＜θ２＜５５°      （２）
【００３２】
条件式（２）の下限値を下回ると、ランバート光Ｓ２のうち配光角が大きい光は、切欠面１２１を透過して導光体１１１の外部に漏れてしまう。また、条件式（２）の上限値を上回ると、ランバート光Ｓ２のうち配光角が大きい光は、切欠面１２１を介さずに、あるいは切欠面１２１で屈折して臨界角よりも小さい入射角で出射面１１８に入射することで、導光体１１１の外部に漏れてしまう。よって、条件式（１）及び（２）を満足しないと、照度損失や照度ムラが生じてしまうことになる。本実施例においては、θ１＝１５０°、θ２＝３０°であるため、上述した条件式（１）及び（２）を満たしている。
【００３３】
ここで、本実施例に対する比較例１について説明する。図６（ａ）は、比較例１に係る照明装置６０３の要部概略図（ＸＹ断面図）である。比較例１に係る照明装置６０３は、上述した特許文献２に記載の照明装置に対応する構成を採っており、導光体６１１が切欠面を有していないという点以外は、本実施例に係る照明装置１０３の構成と同様である。照明装置６０３においては、導光体６１１が切欠面を有していないため、光Ｓ３が導光面６１７を介さずに出射面６１８から直接出射することを抑制することができない。そのため、図６（ｂ）に示すように、原稿１０１において光Ｓ３が入射する端部での照度値が著しく高くなり、照度分布にムラが生じてしまっている。
【００３４】
以上、本実施例に係る導光ユニットによれば、片端部配置型の照明装置において、被照射面における照度ムラの発生を抑制することができる。
【００３５】
［実施例２］
以下、本発明の実施例２に係る導光ユニット、それを備える照明装置及び画像読取装置について詳細に説明する。本実施例に係る画像読取装置は、照明装置以外は実施例１に係る画像読取装置１００の構成と同様であるため、それについての説明を省略する。図７は、本実施例に係る照明装置２０３の要部概略図であり、図７（ａ）は斜視図を示し、図７（ｂ）はＸＹ断面図を示している。本実施例に係る照明装置２０３は、導光体２１１以外は実施例１に係る照明装置１０３の構成と同様である。
【００３６】
図７に示すように、導光体２１１は、入射面（一端面）２１５と、入射面２１５と対向する端面（他端面）２１６と、第１の方向に長い導光面２１７と、導光面２１７と対向する出射面２１８と、を含んでいる。導光体２１１は、端面２１６の側に形成された切欠部２２１を除いて、第１の方向において一様な形状を成す棒状の部材である。本実施例に係る導光面２１７には、第１の方向に垂直な方向（Ｚ方向）の切込み（溝）が第１の方向に沿って複数形成されている。図７（ｂ）に示すように、ＸＹ断面内においては、導光面２１７は、第１の方向に配列された複数の凹凸構造が形成された鋸歯面となっている。また、本実施例に係る出射面２１８は円柱形状の一部を成しており、ＺＸ断面内においては円弧形状となっている。
【００３７】
実施例１に係る導光ユニット１１２と同様に、本実施例に係る導光ユニット２１２も第１の反射部材２１４を備えているため、出射面２１８から出射せずに端面２１６に至る光を導光体２１１の内部に向けて反射させることができる。さらに、本実施例に係る導光体２１１は、第１の反射部材２１４からの光Ｓ３を導光体２１１の内部に向けて反射する切欠面２２１を備えているため、光Ｓ３が導光面２１７を介さずに出射面２１８から直接出射することを抑制することが可能になる。この構成により、照度損失や照度ムラの発生を抑制することができる。
【００３８】
図８に示すように、本実施例に係る原稿１０１上での照度分布はＹ方向において略対称となっており、照度ムラの発生が良好に抑制されているということがわかる。なお、本実施例においても、θ１＝１５０°、θ２＝３０°であるため、上述した条件式（１）及び（２）を満たしている。
【００３９】
ここで、本実施例に対する比較例２について説明する。図９（ａ）は、比較例２に係る照明装置９０３の要部概略図（ＸＹ断面図）である。比較例２に係る照明装置９０３は、上述した特許文献１に記載の照明装置に対応する構成を採っており、導光体９１１が切欠面を有していないという点以外は、本実施例に係る照明装置２０３の構成と同様である。照明装置９０３においては、導光体９１１が切欠面を有していないため、光Ｓ３が導光面９１７を介さずに出射面９１８から直接出射することを抑制することができない。そのため、図９（ｂ）に示すように、原稿１０１において光Ｓ３が入射する端部での照度値が著しく高くなり、照度分布にムラが生じてしまっている。
【００４０】
［実施例３］
以下、本発明の実施例３に係る導光ユニット、それを備える照明装置及び画像読取装置について詳細に説明する。本実施例に係る画像読取装置は、照明装置以外は実施例１に係る画像読取装置１００の構成と同様であるため、それについての説明を省略する。図１０は、本実施例に係る照明装置３０３の要部概略図であり、図１０（ａ）は斜視図を示し、図１０（ｂ）はＸＹ断面図を示している。本実施例に係る照明装置３０３は、導光ユニット３１２以外は実施例１に係る照明装置１０３の構成と同様である。
【００４１】
図１０（ａ）に示すように、本実施例に係る導光体３１１は、切欠面を有していないという点以外は、実施例１に係る導光体１１１の構成と同様である。そして、図１０（ｂ）に示すように、導光ユニット３１２は、第１の反射部材３１４からの光Ｓ３を導光体３１１の内部に向けて反射する反射部として、切欠面の代わりに、出射面３１８の端面３１６の側の端部と対向する第２の反射部材３２１を備えている。具体的には、出射面３１８の端面３１６の側の最端部から３ｍｍの範囲を覆うように、第２の反射部材３２１としての白色ペイントを設けている。
【００４２】
この第２の反射部材３２１によれば、実施例１に係る切欠面１２１と同様に、光Ｓ３が導光面３１７を介さずに出射面３１８から直接出射することを抑制することが可能になる。図１１に示すように、本実施例に係る原稿１０１上での照度分布はＹ方向において略対称となっており、照度ムラの発生が良好に抑制されているということがわかる。
【００４３】
なお、本実施例では、出射面３１８の端部に第２の反射部材３２１としての白色ペイントを直接塗った構成を採っているが、本発明はこれに限られるものではない。例えば、出射面３１８の端部に対して間隔を空けて第２の反射部材３２１を設けてもよい。また、出射面３１８の端部を粗面（拡散面）とし、第２の反射部材３２１の表面を単なる反射面としてもよい。すなわち、出射面３１８の端部及びそれと対向する第２の反射部材３２１の少なくとも一方により拡散反射体を成す構成であれば、いかなる構成を採用してもよい。このとき、第１の反射部材３１４と第２の反射部材３２１とを一体的に形成してもよい。
【００４４】
［変形例］
以上、本発明の好ましい実施形態について説明したが、本発明はこれらの実施形態や実施例に限定されず、その要旨の範囲内で種々の組合せ、変形及び変更が可能である。
【００４５】
例えば、導光体の形状については、入射面からの光を原稿面に導光できる構成であるならば、上述した各実施例におけるものに限られない。また、必要に応じて、上述した実施例１及び３に係る導光面に形成される散乱パターンの密度を、第１の方向に変化させてもよい。
【００４６】
なお、上述した各実施例に係る画像読取装置においては、読取光軸を挟んで２つの照明装置を対称的に配置しているが、この構成に限られるものではない。例えば、一方の照明装置に出射面を２つ設け、他方の照明装置の代わりに反射部材を配置した構成を採ってもよい。この場合、一方の出射面から出射した光束を直接原稿面に導光し、かつ他方の出射面から出射した光束を反射部材により偏向して原稿面に導光することができる。
【符号の説明】
【００４７】
１１１  導光体
１１２  導光ユニット
１１４  第１の反射部材
１１５  入射面
１１６  端面
１１７  導光面
１１８  出射面
１２１  反射部
【図１】
2016110720.tif 000003
【図２】
2016110720.tif 000004
【図３】
2016110720.tif 000005
【図４】
2016110720.tif 000006
【図５】
2016110720.tif 000007
【図６】
2016110720.tif 000008
【図７】
2016110720.tif 000009
【図８】
2016110720.tif 000010
【図９】
2016110720.tif 000011
【図１０】
2016110720.tif 000012
【図１１】
2016110720.tif 000013